(57)【要約】      （修正有）【課題】カードに形成された光沢付きカラー画像を視認方向によらず良好に視認できる印刷装置を提供する。【解決手段】第１のインクによる印刷と光沢性を有する第２のインクによる印刷とを重畳させて光沢付き画像の印刷を行う。第１のインクによる印刷の対象となる第１の画像データを入力する入力部３７と、第１の画像データに含まれる各画素の輝度値を算出する輝度値算出部ＣＴ１ａと、輝度値を、予め設定された輝度設定下限値以上、かつ予め設定された輝度設定上限値以下になるように変換する輝度値変換部ＣＴ１ｂと、を有する。【選択図】図２
2017024285.tif 000002
【特許請求の範囲】
【請求項１】
第１のインクによる印刷と光沢性を有する第２のインクによる印刷とを重畳させて光沢付き画像の印刷を行う印刷装置であって、
前記第１のインクによる印刷の対象となる第１の画像データを入力する入力部と、
前記第１の画像データに含まれる各画素の輝度値を算出する輝度値算出部と、
前記輝度値を、予め設定された輝度設定下限値以上、かつ予め設定された輝度設定上限値以下になるように変換する輝度値変換部と、
を有することを特徴とする印刷装置。
【請求項２】
前記輝度設定下限値又は前記輝度設定上限値は、
前記第１のインクで印刷した第１の印刷画像を第１の方向から見たときの第１の反射濃度値及び前記第２のインクで印刷した第２の印刷画像に前記第１の印刷画像が重畳されてなる重畳画像を前記第１の方向から見たときの第２の反射濃度値、又は、
前記第１の印刷画像を前記第１の方向よりも強い反射光で視認される第２の方向から見たときの第３の反射濃度値及び前記重畳画像を前記第２の方向から見たときの第４の反射濃度値、
に基づいて設定されていることを特徴とする請求項１記載の印刷装置。
【請求項３】
前記輝度値変換部は、前記輝度値を、前記輝度値が前記輝度設定下限値未満の場合に前記輝度設定下限値に変換し、前記輝度設定上限値を超える場合に前記輝度設定上限値に変換することを特徴とする請求項１記載の印刷装置。
【請求項４】
前記輝度値変換部は、
前記輝度値が、前記輝度設定下限値より大きくかつ前記輝度設定上限値未満に予め設定された補正下境界値より小さい場合は、前記輝度値を前記輝度値に応じた前記輝度設定下限値以上の値に変換し、
前記輝度値が、前記補正下境界値より大きくかつ前記輝度設定上限値未満に予め設定された補正上境界値より大きい場合は、前記輝度値を前記輝度値に応じた前記輝度設定上限値以下の値に変換することを特徴とする請求項１記載の印刷装置。
【請求項５】
前記輝度値変換部は、
前記輝度値を、前記輝度値の最大値又は最小値に基づいて、前記輝度設定下限値以上、かつ前記輝度設定上限値以下になるように変換することを特徴とする請求項１記載の印刷装置。
【請求項６】
印刷装置と、前記印刷装置に画像データを送出するプリンタドライバを有するコンピュータと、を含んで構成される印刷システムであって、
前記印刷装置は、
第１のインクによる印刷と、光沢性を有する第２のインクによる印刷と、を重畳させて光沢付き画像の印刷を行い、
前記プリンタドライバは、
前記第１のインクによる印刷の対象となる第１の画像データを入力する入力部と、
前記第１の画像データに含まれる各画素の輝度値を算出する輝度値算出部と、
前記輝度値を、予め設定された輝度設定下限値以上、かつ予め設定された輝度設定上限値以下になるように変換する輝度値変換部と、
を有することを特徴とする印刷システム。
【請求項７】
制御部を有する印刷装置により、第１のインクによる印刷と光沢性を有する第２のインクによる印刷とを重畳させて光沢付き画像の印刷を行う印刷方法であって、
前記制御部が、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換することを特徴とする印刷方法。
【請求項８】
制御部を有する印刷装置により、カード素材に第１のインクによる印刷と光沢性を有する第２のインクによる印刷とを重畳させて光沢付き画像が形成されたカードを製造するカードの製造方法であって、
前記制御部が、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換して前記第１のインクによる印刷を行うことを特徴とするカードの製造方法。
【請求項９】
カード素材に、第１のインクによる印刷と光沢性を有する第２のインクによる印刷とを重畳させて光沢付き画像を形成するカードする印刷装置と、前記印刷装置に画像データを送出するプリンタドライバを有するコンピュータと、によって光沢付き画像が形成されたカードを製造するカードの製造方法であって、
前記プリンタドライバが、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換し、
前記印刷装置が、前記変換された輝度値で前記第１のインクによる印刷を行うことを特徴とするカードの製造方法。
【発明の詳細な説明】
【技術分野】
【０００１】
本発明は、印刷装置，印刷システム，印刷方法，及びカードの製造方法に係る。特に、メタルインクを用いて転写体に光沢付きカラー画像を印刷する印刷装置，印刷システム，及び印刷方法と、メタルインクを用いて印刷された光沢付きカラー画像を有するカードの製造方法と、に関する。
【背景技術】
【０００２】
カードに画像を印刷する印刷装置として、インクリボンのインクを、サーマルヘッドによって昇華又は溶融させて、中間転写フィルムに画像を転写形成し、その転写形成した画像を、カードに再度転写印刷させる再転写装置が知られており、特許文献１に記載されている。
この再転写装置は、インクリボンとして、例えば、Ｙ（イエロー），Ｍ（マゼンタ），Ｃ（シアン），及びＢ（ブラック）の四色のインク層を有するものを用い、各インク層のインクを順次中間転写フィルムに重畳転写させて無光沢のカラー画像を形成する。そして、形成したカラー画像をカードに再度転写印刷することで、そのカードにカラー画像を形成できる。
【０００３】
また、インクリボンとして、Ｂ色のインク層の替わりに、又は五色目のインク層として、金属光沢が視認されるメタルインクのインク層を有するものを用い、特許文献１の記載と同様の転写及び再転写印刷を行って、カードの表面に光沢付きカラー画像を形成する技術も知られている。メタルインクは一般に銀インクなどとも称される。
この光沢付きカラー画像を形成する技術は、特許文献２に記載されている。
以下、カードに形成された無光沢カラー画像及び光沢付きカラー画像を、単に形成画像とも称する。
【先行技術文献】
【特許文献】
【０００４】
【特許文献１】特許第４３３７５８２号公報
【特許文献２】特許第３３７３７１４号公報
【発明の概要】
【発明が解決しようとする課題】
【０００５】
光沢付きカラー画像を形成したカードは、視認方向に応じて光沢部分の見え方が変化する。そのため、特殊効果が得られる、セキュリティ性が向上する、などの理由で注目度の高いカードである。
特許文献１及び２の技術によれば、比較的安価に光沢付きカラー画像を形成したカードを提供できるものの、光沢部分が視認方向によって見えにくくなる、など、改善が望まれる点もあり、光沢付きカラー画像をより良好に視認させるための技術については、ほとんど検討されていなかった。
【０００６】
そこで、本発明が解決しようとする課題は、カードに形成された光沢付きカラー画像を視認方向によらず良好に視認できる、印刷装置，印刷システム，印刷方法を提供することにある。また、形成された光沢付きカラー画像が視認方向によらず良好に視認できるカードを製造するためのカードの製造方法を提供することにある。
【課題を解決するための手段】
【０００７】
上記の課題を解決するために、本発明は次の構成又は手順を有する。
１）  第１のインクによる印刷と光沢性を有する第２のインクによる印刷とを重畳させて光沢付き画像の印刷を行う印刷装置であって、
前記第１のインクによる印刷の対象となる第１の画像データを入力する入力部と、
前記第１の画像データに含まれる各画素の輝度値を算出する輝度値算出部と、
前記輝度値を、予め設定された輝度設定下限値以上、かつ予め設定された輝度設定上限値以下になるように変換する輝度値変換部と、
を有することを特徴とする印刷装置である。
２）  印刷装置と、前記印刷装置に画像データを送出するプリンタドライバを有するコンピュータと、を含んで構成される印刷システムであって、
前記印刷装置は、
第１のインクによる印刷と、光沢性を有する第２のインクによる印刷と、を重畳させて光沢付き画像の印刷を行い、
前記プリンタドライバは、
前記第１のインクによる印刷の対象となる第１の画像データを入力する入力部と、
前記第１の画像データに含まれる各画素の輝度値を算出する輝度値算出部と、
前記輝度値を、予め設定された輝度設定下限値以上、かつ予め設定された輝度設定上限値以下になるように変換する輝度値変換部と、
を有することを特徴とする印刷システムである。
３）  制御部を有する印刷装置により、第１のインクによる印刷と光沢性を有する第２のインクによる印刷とを重畳させて光沢付き画像の印刷を行う印刷方法であって、
前記制御部が、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換することを特徴とする印刷方法である。
４）  制御部を有する印刷装置により、カード素材に第１のインクによる印刷と光沢性を有する第２のインクによる印刷とを重畳させて光沢付き画像が形成されたカードを製造するカードの製造方法であって、
前記制御部が、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換して前記第１のインクによる印刷を行うことを特徴とするカードの製造方法である。
５）  カード素材に、第１のインクによる印刷と光沢性を有する第２のインクによる印刷とを重畳させて光沢付き画像を形成するカードする印刷装置と、前記印刷装置に画像データを送出するプリンタドライバを有するコンピュータと、によって光沢付き画像が形成されたカードを製造するカードの製造方法であって、
前記プリンタドライバが、
前記第１のインクによる印刷の対象となる第１の画像データに含まれる各画素の輝度値を算出すると共に、前記輝度値を、予め設定された輝度設定下限値以上、かつ予め設定された輝度設定上限値以下になるように変換し、
前記印刷装置が、前記変換された輝度値で前記第１のインクによる印刷を行うことを特徴とするカードの製造方法である。
【発明の効果】
【０００８】
本発明によれば、カードに形成された光沢付きカラー画像を視認方向によらず良好に視認できる。また、形成された光沢付きカラー画像が視認方向によらず良好に視認できるカードが得られる。
【図面の簡単な説明】
【０００９】
【図１】図１は、本発明の実施の形態に係る印刷装置の実施例１である印刷装置ＰＲを説明するための図である。
【図２】図２は、印刷装置ＰＲの構成を説明するためのブロック図である。
【図３】図３は、印刷装置ＰＲに用いるインクリボン１１を説明するための図であり、（ａ）は平面図、（ｂ）は側面図である。
【図４】図４は、印刷装置ＰＲに用いる中間転写フィルム２１を説明するための図であり、（ａ）は平面図、（ｂ）は側面図である。
【図５】図５は、印刷装置ＰＲのサーマルヘッド１６によるインクリボン１１と中間転写フィルム２１との圧接を説明するための図である。
【図６】図６は、サーマルヘッド１６を説明するための図である。
【図７】図７は、カラー画像データＳＮ１における各画素のデータ構造を示す図である。
【図８】図８は、カラー画像データ送出部ＣＴ１における輝度変換処理の選択手順を説明するためのフロー図である。
【図９】図９は、カラー画像データ送出部ＣＴ１における輝度変換処理Ａの処理手順を説明するためのフロー図である。
【図１０】図１０は、輝度変換処理Ａを説明するためのグラフである。
【図１１】図１１は、輝度変換処理Ａを説明するための数値例である。
【図１２】図１２は、カラー画像データ送出部ＣＴ１における輝度変換処理Ｂの処理手順を説明するためのフロー図である。
【図１３】図１３は、輝度変換処理Ｂを説明するためのグラフである。
【図１４】図１４は、輝度変換処理Ｂを説明するための数値例である。
【図１５】図１５は、輝度変換処理を説明するためのＲＧＢ立方体である。
【図１６】図１６は、輝度変換処理を説明するためのチャートである。
【図１７】図１７は、中間転写フィルム２１に中間画像Ｐを転写形成する動作を説明するための第１の図である。
【図１８】図１８は、中間転写フィルム２１に中間画像Ｐを転写形成する動作を説明するための第２の図である。
【図１９】図１９は、中間転写フィルム２１に中間画像Ｐを転写形成する動作を説明するための第３の図である。
【図２０】図２０は、中間転写フィルム２１に中間画像Ｐを転写形成する動作を説明するための第４の図である。
【図２１】図２１は、中間転写フィルム２１に中間画像Ｐを転写形成する動作を説明するための第５の図である。
【図２２】図２２は、中間転写フィルム２１に形成された中間画像Ｐを説明するための模式的断面図である。
【図２３】図２３は、中間画像Ｐを再転写した後の中間転写フィルム２１を説明するための平面図である。
【図２４】図２４は、中間画像Ｐの再転写で画像Ｐｃが形成されたカード３１を説明するための模式的断面図である。
【図２５】図２５は、カード３１に形成された画像Ｐｃにおけるメタルインクの反射光について説明する模式的断面図である。
【図２６】図２６は、メタルインク転写部Ａｃの見え方の違いを説明するための第１の概念図である。
【図２７】図２７は、メタルインク転写部Ａｃの見え方の違いを説明するための第２の概念図である。
【図２８】図２８は、メタルインク転写部Ａｃの見え方を調べるための試験プレートＴＰを説明するための図である。
【図２９】図２９は、試験プレートＴＰを用いたメタルインク転写部Ａｃの見え方を調べる試験の結果を示すグラフである。
【図３０】図３０は、変換対象領域Ａｅを説明するための図である。
【図３１】図３１は、転写画像情報Ｊ３を説明するための図である。
【図３２】図３２は、実施例２の印刷システムＳＹの構成を説明するためのブロック図である。
【発明を実施するための形態】
【００１０】
まず、本発明の実施の形態に係る印刷装置の実施例１を印刷装置ＰＲとし、図１〜図３１を参照して説明する。
【００１１】
（実施例１）
実施例１の印刷装置ＰＲは、例えば再転写方式の印刷装置であって、いわゆるカードプリンタである。
印刷装置ＰＲは、図１に示されるように、筐体ＰＲａと、筐体ＰＲａの内部に収められた転写装置５１と、再転写装置５２と、を有している。
【００１２】
印刷装置ＰＲは、転写装置５１において、インクリボン１１のインクを転写体である中間転写フィルム２１に転写し、画像を形成する。さらに、再転写装置５２において、中間転写フィルム２１に転写形成された画像を、別の転写体であるカード素材３１ａに再転写して、画像が印刷形成されたカード３１を形成する。
転写装置５１は、インクリボン１１用の供給リール１２及び巻き取りリール１３を装脱自在に取り付け可能である。
【００１３】
取り付けられた供給リール１２及び巻き取りリール１３は、それぞれ駆動用のモータＭ１２及びモータＭ１３の駆動により回転する。モータＭ１２，Ｍ１３の回転速度及び回転方向は、印刷装置ＰＲに備えられた制御部ＣＴにより制御される。
【００１４】
インクリボン１１は、供給リール１２と巻き取りリール１３との間で、複数のガイドシャフト１４に案内され所定の走行経路に掛け渡される。
インクリボン１１の走行経路の途中には、頭出し用のインクリボンセンサ１５が配置されている。
インクリボンセンサ１５は、インクリボン１１の頭出しマーク１１ｄ（図３参照）を検出し、リボンマーク検出情報Ｊ１（図２参照）を制御部ＣＴに向け送出する。
【００１５】
インクリボン１１は、図３に示されるように、リボンベース１１ａと、リボンベース１１ａの一面側に形成されたイエローインクのインク層１１Ｙ，マゼンタインクのインク層１１Ｍ，シアンインクのインク層１１Ｃ，及び金属光沢の銀色を呈するメタルインクＳのインク層１１Ｓを有する。
【００１６】
また、以下の説明において、イエローインク，マゼンタインク，及びシアンインクは、それぞれカラーインクＣＩＫとも称する。
各カラーインクＣＩＫは、昇華型インクであって、昇華量が、サーマルヘッド１６（後述）によって加えられる熱量に応じて調整可能なので、転写画像の濃淡を、濃度階調で表現可能である。
メタルインクＳは、溶融型インクであって、転写装置５１では、転写する、転写しない、の二値的処理がなされる。
インクリボン１１の詳細は後述する。
【００１７】
図１において、インクリボン１１の走行経路におけるインクリボンセンサ１５と巻き取りリール１３との間に、サーマルヘッド１６が配置されている。
サーマルヘッド１６は、掛け渡されたインクリボン１１のリボンベース１１ａ側の面（図３参照）に対し離接する（図５の矢印Ｄａ方向）。
このサーマルヘッド１６の離接動作は、ヘッド離接駆動部Ｄ１６により制御部ＣＴの制御の下で実行される。
【００１８】
転写装置５１は、装填されたインクリボン１１に対する図１の左方側に、中間転写フィルム２１用の供給リール２２及び巻き取りリール２３が装脱自在に取り付け可能である。
取り付けられた供給リール２２及び巻き取りリール２３は、それぞれ駆動用のモータＭ２２及びモータＭ２３の駆動により回転する。モータＭ２２，Ｍ２３の回転速度及び回転方向は、制御部ＣＴにより制御される。
【００１９】
中間転写フィルム２１は、供給リール２２と巻き取りリール２３との間で、複数のガイドシャフト２４に案内されて所定の走行経路に掛け渡される。
中間転写フィルム２１の走行経路の途中には、頭出し用のフレームマークセンサ２５が配置されている。
フレームマークセンサ２５は、中間転写フィルム２１のフレームマーク２１ｄ（図４参照）を検出し、フレームマーク検出情報Ｊ２（図２参照）を制御部ＣＴに向け送出する。
中間転写フィルム２１は光透過性を有する。例えば、フレームマークセンサ２５を光センサとし、フレームマーク２１ｄを光遮断する部分として形成して、光の透過と遮断との違いによりフレームマーク２１ｄを検出する。
【００２０】
中間転写フィルム２１の走行経路におけるフレームマークセンサ２５と供給リール２２との間には、モータＭ２６の駆動によって回転するプラテンローラ２６が配置されている。
モータＭ２６の回転速度及び回転方向は、制御部ＣＴにより制御される。
【００２１】
図５にも示されるように、サーマルヘッド１６は、ヘッド離接駆動部Ｄ１６による離接動作で、インクリボン１１に対して離接する。この離接動作をするのはプラテンローラ２６でもよく、サーマルヘッド１６とプラテンローラ２６とは相対的に離接すればよい。
詳しくは、サーマルヘッド１６は、インクリボン１１をプラテンローラ２６に向け押圧し、プラテンローラ２６との間に中間転写フィルム２１とインクリボン１１とを挟んで圧接させる圧接位置（図５に示される位置）と、インクリボン１１から離隔した離隔位置（図１に示される位置）と、の間を移動する。サーマルヘッド１６が圧接位置にあるときに、後述する転写が行われる。
【００２２】
インクリボン１１及び中間転写フィルム２１は、サーマルヘッド１６が離隔位置にある状態で、それぞれ、モータＭ１２，Ｍ１３及びモータＭ２２，Ｍ２３の動作により、巻き取りリール１３，２３側への巻き取り及び供給リール１２，２２への巻き戻しが、それぞれ独立してできるようになっている。
【００２３】
インクリボン１１及び中間転写フィルム２１は、サーマルヘッド１６が圧接位置にある状態で、互いに密着して供給リール側又は巻き取りリール側に移動可能となっている。この移動は、モータＭ１２，Ｍ１３，Ｍ２２，Ｍ２３及びモータＭ２６の駆動による供給リール１２，２２，巻き取りリール１３，２３、及びプラテンローラ２６の回転により制御部ＣＴの制御により実行される。
【００２４】
図１及び図２に示されるように、印刷装置ＰＲは、制御部ＣＴ，記憶部ＭＲ，及び通信部３７を備えている。通信部３７は、外部から送られるデータ等を入力するための入力部として機能する。
制御部ＣＴは、中央処理装置（ＣＰＵ）ＣＴａと、画像データ送出部ＣＴｂと、を有する。
図２に示されるように、画像データ送出部ＣＴｂは、カラー画像データ送出部ＣＴ１と光沢画像データ送出部ＣＴ２と、を有する。
カラー画像データ送出部ＣＴ１は、カラー画像輝度値算出部ＣＴ１ａ，カラー画像輝度値変換部ＣＴ１ｂ，及び色変換部ＣＴ１ｃを有する。
【００２５】
外部のデータ機器３８からは、通信部３７を介して、制御部ＣＴに、転写画像情報Ｊ３（図３１も参照）が供給される。供給された転写画像情報Ｊ３は、記憶部ＭＲに記憶され、制御部ＣＴにより適宜参照される。
記憶部ＭＲには、印刷装置全体の動作を制御するための動作プログラムと、後述する輝度設定下限値ＬＵａ及び輝度設定上限値ＬＵと、輝度変換処理選択情報Ｊ３ａと、が予め記憶されている。
また、印刷装置ＰＲが、後述する輝度変換処理Ｂを実行する場合には、補正下境界値ＬＵａ１及び補正上境界値ＬＵｂ１も、予め設定して記憶部ＭＲに記憶させておく。
【００２６】
転写画像情報Ｊ３は、図３１に示されるように、カラーインクＣＩＫで転写する無光沢のカラー画像（以下、無光沢カラー画像とも称する）の画像データであるカラー画像データＳＮ１と、メタルインクＳで転写する光沢画像の光沢画像データＳＮ２と、を含んでいる。
また、輝度設定下限値ＬＵａ及び輝度設定上限値ＬＵｂ、補正下境界値ＬＵａ１及び補正上境界値ＬＵｂ１、並びに、輝度変換処理選択情報Ｊ３ａは、予め記憶部ＭＲに記憶されているものに限らず、転写画像情報Ｊ３に含められて外部から供給され、記憶部ＭＲに記憶されるものであってもよい（図３１において一点鎖線で記載）。
カラー画像データＳＮ１は、ＲＧＢ値（例えば各８ｂｉｔ）で構成されている。また、光沢画像データＳＮ２は、１ｂｉｔの光沢値（以下、Ｓ値とも称する）で構成されている。
【００２７】
カラー画像データ送出部ＣＴ１は、カラー画像データＳＮ１に基づき、転写する無光沢カラー画像の所定領域である変換対象領域Ａｅ（図３０参照）について、輝度変換を実行する。変換対象領域Ａｅは、無光沢カラー画像の全体又は一部として予め設定される。
そして、カラー画像データ送出部ＣＴ１は、輝度変換後、イエローインクで転写する画像の画像データＳＮ１ｙ，マゼンタインクで転写する画像の画像データＳＮ１ｍ，及びシアンインクで転写する画像の画像データＳＮ１ｃを生成し、カラー画像データＳＮ１Ａとしてサーマルヘッド１６に送出する（図６参照）。
カラー画像データ送出部ＣＴ１が実行する輝度変換方法については、後述する。
【００２８】
光沢画像データ送出部ＣＴ２は、光沢画像データＳＮ２を記憶部ＭＲから取得し、サーマルヘッド１６に送出する（図２及び図６参照）。
【００２９】
画像データ送出部ＣＴｂは、サーマルヘッド１６が圧接位置にあるとき、中間転写フィルム２１の転写フレームＦ（図４参照：詳細は後述）それぞれに転写するカラーインクＣＩＫのためのカラー画像データＳＮ１Ａ及びメタルインクＳのための光沢画像データＳＮ２を、サーマルヘッド１６へ適宜タイミングで供給する。
カラー画像データＳＮ１Ａ及び光沢画像データＳＮ２の供給タイミングは、フレームマーク検出情報Ｊ２などに基づいて制御部ＣＴ全体として決定される。
【００３０】
次に、インクリボン１１について詳述する。
インクリボン１１は、図３（ａ），（ｂ）に示されるように、帯状のリボンベース１１ａと、リボンベース１１ａ上に塗布形成されたインク層１１ｂと、を有している。
インクリボン１１は、インク層１１ｂとして、四種のインク層を有する。この四種のインク層を所定順に並べたインク組１１ｂ１が、インクリボン１１の延在方向（帯方向：矢印ＤＲａ参照）に繰り返し塗布されている。
具体的には、インク組１１ｂ１は、イエローインクのインク層１１Ｙ，マゼンタインクのインク層１１Ｍ，シアンインクのインク層１１Ｃ，及びメタルインクＳのインク層１１Ｓであり、この順で帯方向に塗布されている。
【００３１】
イエローインク，マゼンタインク，及びシアンインクは昇華型であり、光透過性を有する。
メタルインクＳは、例えば灰色の溶融型インクであって、金属粒子又は金属フレークを含有し、光不透過性である。金属は、例えばアルミニウム、銀である。
メタルインクＳの転写で転写体に形成されたメタルインクＳは、入射光を狭指向性で概ね鏡面的に反射する。これにより、メタルインクＳが転写された部分は、反射方向となる特定の視認方向から見たときに、金属光沢の銀色として視認される。
【００３２】
インク層１１Ｙにおいて、隣接するメタルインクＳのインク層１１Ｓとの境界部位の一方縁部には、頭出しマーク１１ｄが形成されている。
各インク層１１Ｙ，１１Ｍ，１１Ｃ，１１Ｓの帯方向の長さＬａは、互いに同じである。従って、インク層１１ｂの組のピッチＬａｐは、長さＬａの４倍となっている。
インクリボンセンサ１５の位置は、インクリボンセンサ１５が頭出しマーク１１ｄを検出したときに、サーマルヘッド１６の圧接位置がインク層１１Ｙの走行方向先頭縁の位置と一致するようになっている。
すなわち、圧接位置からインクリボンセンサ１５の検出位置までの走行経路長が、ピッチＬａｐの整数倍とされている。
【００３３】
次に、中間転写フィルム２１について詳述する。
中間転写フィルム２１は、図４（ａ），（ｂ）に示されるように、帯状のフィルムベース２１ａと、フィルムベース２１ａ上に積層形成された、剥離層２１ｂ及び転写用受像層２１ｃを有している。
フィルムベース２１ａの幅は、インクリボン１１のリボンベース１１ａの幅と同じである。
フィルムベース２１ａ又は転写用受像層２１ｃには、フレームマーク２１ｄが、帯方向（矢印ＤＲｂ参照）に所定のピッチＬｂで繰り返し形成されている。
フレームマーク２１ｄは、全幅に亘り形成されている。
ピッチＬｂは、インクリボン１１における長さＬａと同じ（Ｌａ＝Ｌｂ）である。
【００３４】
中間転写フィルム２１においてピッチＬｂにて一定間隔で区切られる領域が転写フレームＦである。以下、転写フレームＦを、単に、フレームＦと称する。
すなわち、フレームマーク２１ｄは、各フレームＦの境界部位に付与され、各フレームＦを中間転写フィルム２１の延在方向（帯方向）に複数並設するように区画している。
【００３５】
フレームマークセンサ２５（図１参照）の位置は、フレームマークセンサ２５がフレームマーク２１ｄを検出したときに、サーマルヘッド１６の圧接位置がフレームマーク２１ｄの走行方向先頭縁の位置と一致するようにされている。
すなわち、圧接位置からフレームマークセンサ２５の検出位置までの走行経路長が、ピッチＬｂの整数倍とされている。ここでは、例えば４倍にされているものとする。
【００３６】
転写装置５１において、中間転写フィルム２１とインクリボン１１とは、図５に示されるように、転写用受像層２１ｃとインク層１１ｂとが直接対向する向きで掛け渡される。
転写用受像層２１ｃは、加熱により昇華したインク層１１Ｙ，１１Ｍ，１１Ｃのインク、及び加熱により溶融したインク層１１ＳのメタルインクＳを受容して固定する。
これにより、図５に示されるサーマルヘッド１６の圧接状態において、転写用受像層２１ｃに圧着したインク層１１ｂからインクが転写され、転写用受像層２１ｃに画像が印刷形成される。
【００３７】
この転写において、インク層１１Ｙ，１１Ｍ，１１Ｃの各カラーインクＣＩＫは、サーマルヘッド１６に供給されたカラー画像データＳＮ１Ａに応じた加熱パターンで転写される。
また、インク層１１ＳのメタルインクＳは、サーマルヘッド１６に供給された光沢画像データＳＮ２に応じた加熱パターンで転写される。
【００３８】
以上詳述した転写装置５１は、使用者によりセットされたインクリボン１１及び中間転写フィルム２１を、サーマルヘッド１６の押圧によって密着させながら帯方向に移動できるようになっている。
【００３９】
サーマルヘッド１６は、図６に示されるように、インクリボン１１の幅方向に整列配置された＃１〜＃ｎ（ｎは２以上の整数）なるｎ個の発熱抵抗体１６ａを有する。また、サーマルヘッド１６は、カラー画像データＳＮ１及び光沢画像データＳＮ２に応じ、複数の発熱抵抗体１６ａそれぞれに独立して通電するヘッドドライバ１６ｂを有している。
発熱抵抗体１６ａは、例えば、１インチあたり３００個並設される。
【００４０】
ヘッドドライバ１６ｂは、画像データ送出部ＣＴｂから送出された、カラーインクＣＩＫの転写に用いるカラー画像データＳＮ１Ａと、メタルインクＳの転写に用いる光沢画像データＳＮ２と、に基づき、複数の発熱抵抗体１６ａそれぞれに対し通電を行う。
通常は、形成する画像に対応する発熱抵抗体１６ａは、全数ｎではなく、並設方向の両端に余裕分をとって隣接するｍ個（ｍは、ｍ＜ｎなる１以上の整数）とされる。
【００４１】
すなわち、並設された複数の発熱抵抗体１６ａの内の、（ｎ−ｍ）個分は、余裕分として画像形成には用いない。また、ｍ個の発熱抵抗体１６ａは、ｎ個の内の少なくとも一方端の発熱抵抗体を除く連続するｍ個として選択される。
従って、転写する画像の帯方向（縦）におけるライン数（通電のＯＮとＯＦＦとを選択できる数に相当）をライン数ＬＮａとすると、被画像形成体である中間転写フィルム２１には、画像が、幅×縦＝ｍ×ＬＮａのドットで形成される。
例えば、印刷装置ＰＲとして、再転写する転写体の外形８６ｍｍ×５４ｍｍなるカードに、３００ｄｐｉの画像を形成する場合、ｍは約１０００、ＬＮａの値は約６００である。
【００４２】
転写装置５１は、インクリボン１１と中間転写フィルム２１とを密着移動させて、サーマルヘッド１６の各発熱抵抗体１６ａを、カラーインクＣＩＫの転写ではカラー画像データＳＮ１Ａに基づいて、また、メタルインクＳの転写では光沢画像データＳＮ２に基づいて適宜加熱する。そして、インクリボン１１のインク層１１ｂの各インクを中間転写フィルム２１の転写用受像層２１ｃにおける同一のフレームＦに重畳転写させる。
これにより、転写用受像層２１ｃのフレームＦに所望の光沢付きカラー画像を転写形成することができる。この画像形成動作の詳細は、後述する。
【００４３】
図１に戻り、印刷装置ＰＲは、転写装置５１において転写体である中間転写フィルム２１の転写用受像層２１ｃに転写により印刷形成した画像（以下、中間画像Ｐとも称する）の一部を、さらに別の転写体であるカード素材３１ａに再転写により印刷する再転写装置５２を備えている。図１では、搬送中のカード素材３１ａ及びカード素材３１ａに再転写により画像が形成されてなるカード３１を太線で示してある。
【００４４】
再転写装置５２は、制御部ＣＴを転写装置５１と共有している。
再転写装置５２は、中間転写フィルム２１の走行経路における、プラテンローラ２６と巻き取りリール２３との間に設けられた再転写部ＳＴ１と、再転写部ＳＴ１にカード素材３１ａを供給する供給部ＳＴ２と、再転写部ＳＴ１を通過したカード３１を搬出する搬出部ＳＴ３と、を有している。
【００４５】
再転写部ＳＴ１は、モータＭ４１により回転するヒートローラ４１と、ヒートローラ４１に対向配置された対向ローラ４２と、ヒートローラ４１を対向ローラ４２に対して離接させるヒートローラ駆動部Ｄ４１と、を有している。
供給部ＳＴ２は、カード素材３１ａを挟持したままカード素材３１ａの姿勢を垂直から水平に転換するように９０°回動する姿勢転換部ＳＴ２ａを有する。
【００４６】
供給部ＳＴ２は、さらに、スタッカ３２に立ち姿勢で装填された複数のカード素材３１ａの中から、図１の最右となる一枚を上方に持ち上げるように回転する持ち上げローラ３３を有する。
供給部ＳＴ２は、またさらに、持ち上げローラ３３で持ち上げられたカード素材３１ａを、上方に配置された姿勢転換部ＳＴ２ａに挟持して送り込む一対の送り込みローラ３４と、姿勢転換部ＳＴ２ａで水平姿勢にされたカード素材３１ａを左方の再転写部ＳＴ１に送り込む複数対の搬送ローラ３５と、を有する。
【００４７】
モータＭ４１の動作は、制御部ＣＴにより制御される。また、持ち上げローラ３３，送り込みローラ３４，及び搬送ローラ３５は、それぞれ制御部ＣＴの制御の下、図示しないモータの駆動によって回転する。
【００４８】
再転写装置５２は、供給部ＳＴ２においてスタッカ３２から垂直姿勢で上方に取り出した一枚のカード素材３１ａを、姿勢転換部ＳＴ２ａにおいて水平姿勢に転換し、再転写部ＳＴ１に搬送供給する。
再転写部ＳＴ１において、カード素材３１ａは、ヒートローラ駆動部Ｄ４１の動作によって、昇温したヒートローラ４１と対向ローラ４２との間に中間転写フィルム２１と共に圧接挟持されながら、モータＭ４１の駆動により搬出部ＳＴ３に向け移動する。カード素材３１ａには、中間転写フィルム２１の転写用受像層２１ｃが圧接する。
【００４９】
この圧接移動で、転写装置５１によって転写用受像層２１ｃに形成された中間画像Ｐの一部の範囲が、カード素材３１ａに転写され画像Ｐｃが形成される。
すなわち、カード素材３１ａの表面上に、形成画像としての画像Ｐｃが、再転写によって形成され、カード３１とされる。
カード素材３１ａに画像Ｐｃが再転写形成されてなるカード３１は、搬出部ＳＴ３に搬送され、例えば外部のストッカ３６に積層収容される。
【００５０】
再転写の実行タイミングは、限定されない。一つのフレームＦに中間画像Ｐを形成したら、次のフレームＦに中間画像Ｐを形成する前に、再転写を実行してもよい。また、複数のフレームＦそれぞれに中間画像Ｐを形成した後に、再転写を実行してもよい。
【００５１】
次に、カラー画像データ送出部ＣＴ１によって行う、無光沢カラー画像のカラー画像データＳＮ１に対する輝度変換処理について説明する。
【００５２】
外部から供給されたカラー画像データＳＮ１において、画像を構成する各画素のデータ構造は、例えば、図７に示されるように、ＲＧＢそれぞれ８ｂｉｔ（２５６階調）とされている。
【００５３】
輝度変換処理の実行に際し、図８に示されるように、カラー画像輝度値変換部ＣＴ１ｂは、記憶部ＭＲに記憶されている転写画像情報Ｊ３を取得する（Ｓｔｅｐ１）。
そして、転写画像情報Ｊ３に含まれている輝度変換処理選択情報Ｊ３ａにより、輝度変換処理として、三つの輝度変換処理（輝度変換処理Ａ，輝度変換処理Ｂ，輝度変換処理Ｃ）の内のどれを実行するかを判定する（Ｓｔｅｐ２）。
【００５４】
すなわち、カラー画像輝度値変換部ＣＴ１ｂは、輝度変換処理Ａ，Ｂ，Ｃのいずれも実行可能とされ、転写画像情報Ｊ３に含まれている輝度変換処理選択情報Ｊ３ａに基づいて、輝度変換処理Ａ，Ｂ，Ｃの内のいずれかを選択的に実行する（図８：Ｓｔｅｐ３，Ｓｔｅｐ４，Ｓｔｅｐ５）。
【００５５】
輝度変換処理Ａは、輝度変換の対象となる画素の輝度値ＬＵが、輝度設定下限値ＬＵａ未満、又は輝度設定上限値ＬＵｂを超える場合、その輝度値ＬＵに、それぞれ下限又は上限のリミットをかける処理である。
輝度変換処理Ｂは、変換対象となる画素の輝度値ＬＵが、補正下境界値ＬＵａ１未満、又は補正上境界値ＬＵｂ１を超える場合、その輝度値ＬＵに階調圧縮をかける処理である。
輝度変換処理Ｃは、変換対象となる画素が取り得る輝度値範囲を、それよりも狭い所定の輝度値範囲に線形圧縮する処理である。
以下、輝度変換処理Ａ，Ｂ，Ｃについて説明する。
【００５６】
輝度変換処理Ａ，Ｂ，Ｃの対象とする画素は、無光沢カラー画像の全体として、又は一部として設定された変換対象領域Ａｅに含まれる画素である。
変換対象領域Ａｅは、光沢領域とすべくメタルインクＳを転写する領域として設定される。一部に設定された変換対象領域Ａｅは、図３０に例示されている。
【００５７】
（輝度変換処理Ａ）（図９，図１０参照）
カラー画像データＳＮ１において、輝度変換の実行対象となる変換対象領域Ａｅに対応した画素ＱａがＮ個あるとする。
まず、カラー画像輝度値算出部ＣＴ１ａは、ｍ＝１とし（ＳｔｅｐＡ１）、ｍ番目（一番目）の画素Ｑａの輝度値ＬＵを算出する（ＳｔｅｐＡ２）。
具体的には、カラー画像輝度値算出部ＣＴ１ａは、ｍ番目画素のＲ値，Ｇ値，Ｂ値の内、最大値をｍａｘＲＧＢとし最小値をｍｉｎＲＧＢとして、輝度値ＬＵを、
ＬＵ＝〔（ｍａｘＲＧＢ）＋（ｍｉｎＲＧＢ）〕／２・・・（式１）
から求める。輝度値ＬＵは、０≦ＬＵ≦２５５の数値となる。
【００５８】
カラー画像輝度値変換部ＣＴ１ｂは、輝度値ＬＵが０（ゼロ）でないかゼロかを判定する（ＳｔｅｐＡ３）。
ゼロでない場合、輝度値ＬＵが、輝度設定下限値ＬＵａ未満（０＜ＬＵ＜ＬＵａ）か否かを判定する（ＳｔｅｐＡ４）。
輝度設定下限値ＬＵａ未満と判定した場合、カラー画像輝度値変換部ＣＴ１ｂは、補正ゲイン値ＧＨａを、
ＧＨａ＝ＬＵａ／ＬＵ  ・・・（式２）
として求める（ＳｔｅｐＡ５）（図１０参照）。
【００５９】
そして、（式２）で得られた補正ゲイン値ＧＨａを、画素ＱａのＲＧＢ値それぞれに乗算して、変換後ＲＧＢ値を生成し、画素Ｑａの変換後ＲＧＢ値とする（ＳｔｅｐＡ６）。
これにより、画素Ｑａの輝度値が上げられて輝度設定下限値ＬＵａとされる。
【００６０】
カラー画像輝度値変換部ＣＴ１ｂは、（ＳｔｅｐＡ３）で輝度値ＬＵが０（ゼロ）と判定した場合、（式２）を用いることなく、ＲＧＢ値を輝度設定下限値ＬＵａとする（ＳｔｅｐＡ７）。これにより、輝度値ＬＵは輝度設定下限値ＬＵａとなる。
【００６１】
カラー画像輝度値変換部ＣＴ１ｂは、（ＳｔｅｐＡ４）で否と判定した場合、画素Ｑａの輝度値ＬＵが、輝度設定上限値ＬＵｂを超える（ＬＵｂ＜ＬＵ）か否かを判定する（ＳｔｅｐＡ８）。
すなわち、（ＳｔｅｐＡ８）は、輝度値ＬＵが、輝度設定下限値ＬＵａ以上、かつ輝度設定下限値ＬＵｂ以下の設定維持範囲ＡＲｓに含まれている（ＬＵａ≦ＬＵ≦ＬＵｂ）か否かの判定を行うステップである。
輝度値ＬＵが輝度設定上限値ＬＵｂを超えると判定した場合、カラー画像輝度値変換部ＣＴ１ｂは、補正ゲイン値ＧＨｂを、
ＧＨｂ＝ＬＵｂ／ＬＵ・・・（式３）
として求める（ＳｔｅｐＡ９）（図１０参照）。
【００６２】
そして、（式３）で得られた補正ゲイン値ＧＨｂを、画素ＱａのＲＧＢ値それぞれに乗算して変換後ＲＧＢ値を生成し、画素Ｑａの変換後ＲＧＢ値とする（ＳｔｅｐＡ１０）。
これにより、画素Ｑａの輝度値ＬＵが下げられて輝度設定上限値ＬＵｂとされる。
【００６３】
カラー画像輝度値変換部ＣＴ１ｂは、（ＳｔｅｐＡ８）で、画素Ｑａの輝度値ＬＵが輝度設定上限値ＬＵｂを超えないと判定した場合、ＲＧＢ値をそのまま維持する。
【００６４】
カラー画像輝度値変換部ＣＴ１ｂは、（ＳｔｅｐＡ６，Ａ７，Ａ１０，及びＡ８の「Ｎｏ」判定）を経て、ｍがＮに達したか否かを判定する（ＳｔｅｐＡ１１）。
すなわち、輝度変換対象となる画素Ｑａのすべてについて輝度変換処理を実行したか否かを判定する。
否の場合、ｍに１を足し（ＳｔｅｐＡ１２）、（ＳｔｅｐＡ２）へ移行して次の画素の輝度変換処理を実行する。
是の場合、処理を終了する。
【００６５】
この輝度変換処理Ａの処理方法を、具体例で説明する。
ここでは、輝度設定下限値ＬＵａ及び輝度設定上限値ＬＵｂを、ＬＵａ＝５０，ＬＵｂ＝１５０とする。
【００６６】
画素ＱａのＲＧＢ値が、図１１（ａ）に示されるように、Ｒ＝１０，Ｇ＝２０，Ｂ＝３０の場合、画素Ｑａの輝度値ＬＵは、（式１）により、
ＬＵ＝（３０＋１０）／２＝２０  ・・・（式４）
となる。この輝度値ＬＵは、輝度設定下限値ＬＵａ未満であるから、
補正ゲイン値ＧＨａを、
ＧＨａ＝５０／２０＝２．５  ・・・（式５）
とする。
【００６７】
従って、変換前の（Ｒ，Ｇ，Ｂ）＝（１０，２０，３０）なる画素Ｑａの変換後ＲＧＢ値は、（ＳｔｅｐＡ６）を実行して、
Ｒ＝１０×２．５＝２５
Ｇ＝２０×２．５＝５０
Ｂ＝３０×２．５＝７５
とされる〔図１１（ａ）参照〕。変換後の輝度値ＬＵは輝度設定下限値ＬＵａの５０となる。
【００６８】
一方、画素ＱａのＲＧＢ値が、図１１（ｂ）に示されるように、Ｒ＝２００，Ｇ＝２２０，Ｂ＝２４０の場合、画素Ｑａの輝度値ＬＵは、（式１）により、
ＬＵ＝（２４０＋２００）／２＝２２０  ・・・（式６）
となる。この輝度値ＬＵは、輝度設定上限値ＬＵｂを超えているので、
補正ゲイン値ＧＨｂを、
ＧＨｂ＝１５０／２２０≒０．６８・・・（式７）
とする。
【００６９】
従って、変換前の（Ｒ，Ｇ，Ｂ）＝（２００，２２０，２４０）なる画素Ｑａの変換後ＲＧＢ値は、（ＳｔｅｐＡ１０）を実行して、
Ｒ＝２００×０．６８≒１３６
Ｇ＝２２０×０．６８≒１５０
Ｂ＝２４０×０．６８≒１６３
と変換される〔図１１（ｂ）参照〕。変換後の輝度値ＬＵは輝度設定上限値の１５０となる。
【００７０】
カラー画像輝度値変換部ＣＴ１ｂは、これらの例示のように、変換対象領域Ａｅ内のすべての画素について、ＲＧＢ値を変換後ＲＧＢ値に変換する。
輝度変換処理Ａによれば、輝度値ＬＵが輝度設定下限値ＬＵａ未満となる画素について、変換後の輝度値ＬＵを輝度設定下限値ＬＵａにする。
また、輝度値ＬＵが輝度設定上限値ＬＵｂを超える画素について、変換後の輝度値ＬＵを輝度設定上限値ＬＵｂにする。
【００７１】
すなわち、輝度値ＬＵが設定維持範囲ＡＲｓに含まれない画素について、輝度が一定となるように変換する。
従って、輝度変換処理Ａは、無光沢カラー画像の濃度変化が離散的な、例えばアニメーション画像などにおける処理において、輝度変換前後の差が目立ちにくく好適である。
【００７２】
（輝度変換処理Ｂ）（図１２，図１３）
輝度変換処理Ｂでは、輝度設定下限値ＬＵａ及び輝度設定上限値ＬＵｂの他に、設定維持範囲ＡＲｓ内の値である補正下境界値ＬＵａ１及び補正上境界値ＬＵｂ１を用いる。
補正上境界値ＬＵｂ１は、補正下境界値ＬＵａ１よりも大きい。
従って、ＬＵａ＜ＬＵａ１＜ＬＵｂ１＜ＬＵｂ  である。
輝度変換処理Ｂを実行する場合において、補正下境界値ＬＵａ１及び補正上境界値ＬＵｂ１は、予め設定されて転写画像情報Ｊ３に含められている。
【００７３】
まず、カラー画像データＳＮ１において、輝度変換の実行対象となる変換対象領域Ａｅに対応した画素ＱｂがＮ個あるとする。
まず、カラー画像輝度値算出部ＣＴ１ａは、ｍ＝１とし（ＳｔｅｐＢ１）、ｍ番目（一番目）の画素Ｑｂの輝度値ＬＵを算出する（ＳｔｅｐＢ２）。この輝度値ＬＵの算出方法は、輝度変換処理Ａと同様であり、（式１）を用いる。
【００７４】
カラー画像輝度値変換部ＣＴ１ｂは、画素Ｑｂの輝度値ＬＵが、０以上、かつ補正下境界値ＬＵａ１未満か否かを判定する（ＳｔｅｐＢ３）。
是と判定した場合、図１３の線分ＬＮ１で示される輝度値ＬＵと補正値Ｈとの関数ｆａから補正値Ｈａ求める（ＳｔｅｐＢ４）。
【００７５】
関数ｆａは、この例において一次関数であって、
Ｈ＝−（ＬＵａ／ＬＵａ１）×ＬＵ＋ＬＵａ  ・・・（式８）
で規定される。
この関数ｆａで得られる補正値Ｈａは、輝度値ＬＵが補正下境界値ＬＵａ１未満の場合に、輝度値ＬＵを輝度設定下限値ＵＬａ以上にするための加算値であって、輝度値ＬＵに応じて決まる値である。
【００７６】
カラー画像輝度値変換部ＣＴ１ｂは、（式８）に画素Ｑｂの輝度値ＬＵを代入して補正値Ｈａを得る。
そして、補正値Ｈａを、画素ＱｂのＲＧＢ値それぞれに加算して変換後ＲＧＢ値を生成し、画素Ｑｂの変換後ＲＧＢ値とする（ＳｔｅｐＢ５）。
これにより、画素Ｑｂの輝度値は輝度設定下限値ＬＵａ以上に変換（輝度が高く）される。
【００７７】
カラー画像輝度値変換部ＣＴ１ｂは、（ＳｔｅｐＢ３）で否と判定したら、画素Ｑｂの輝度値ＬＵが、ＬＵｂ１を超えるか否かを判定する（ＳｔｅｐＢ６）。
是と判定した場合、図１３の線分ＬＮ２で示される輝度値ＬＵと補正値Ｈとの関数ｆｂから補正値Ｈｂを求める（ＳｔｅｐＢ７）。
【００７８】
関数ｆｂは、例えば一次関数であって、
Ｈ＝−〔（２５５−ＬＵｂ）／（２５５−ＬＵｂ１）〕×ＬＵ＋〔（２５５−ＬＵｂ）／（２５５−ＬＵｂ１）〕×ＬＵｂ１
・・・（式９）
で規定される。
この関数ｆｂで得られる補正値Ｈｂは、輝度値ＬＵが補正上境界値ＬＵｂ１を超える場合に、輝度値ＬＵを輝度設定上限値ＵＬｂ以下にするための加算値（負の値）であって、輝度値ＬＵに応じて決まる値である。
【００７９】
カラー画像輝度値変換部ＣＴ１ｂは、（式９）に画素Ｑｂの輝度値ＬＵを代入して補正値Ｈｂを得る。
そして、得られた補正値Ｈｂを、画素ＱｂのＲＧＢ値それぞれに加算して変換後ＲＧＢ値を生成し、画素Ｑｂの変換後ＲＧＢ値とする（ＳｔｅｐＢ８）。
これにより、画素Ｑｂの輝度値は輝度設定上限値ＬＵｂ以下に変換（輝度は低く）される。
【００８０】
カラー画像輝度値変換部ＣＴ１ｂは、（ＳｔｅｐＢ６）で否と判定した場合、すなわち、画素Ｑｂの輝度値ＬＵが、補正下境界値ＬＵａ１以上、かつ補正上境界値ＬＵｂ１以下の場合（ＬＵａ１≦ＬＵ≦ＬＵｂ１）、ＲＧＢ値をそのまま維持する。
【００８１】
カラー画像輝度値変換部ＣＴ１ｂは、（ＳｔｅｐＢ５，Ｂ８，及びＢ６の「Ｎｏ」判定）を経て、ｍがＮに達したか否かを判定する（ＳｔｅｐＢ９）。
すなわち、輝度変換対象の画素Ｑｂのすべてについて輝度変換処理を実行したか否かを判定する。
否の場合、ｍに１を足し（ＳｔｅｐＢ１０）、（ＳｔｅｐＢ２）へ移行して次の画素の輝度変換処理を実行する。
是の場合、処理を終了する。
【００８２】
この輝度変換処理Ｂの処理方法を、具体例で説明する。
ここでは、輝度設定下限値ＬＵａ及び輝度設定上限値ＬＵｂを、ＬＵａ＝５０，ＬＵｂ＝１５０とする。
また、補正下境界値ＬＵａ１及び補正上境界値ＬＵｂ１を、ＬＵａ１＝１０５，ＬＵｂ１＝１３５とする。
【００８３】
画素ＱｂのＲＧＢ値が、図１４（ａ）に示されるように、Ｒ＝５０，Ｇ＝１３０，Ｂ＝８０の場合、画素Ｑｂの輝度値ＬＵは、（式１）により、
ＬＵ＝（１３０＋５０）／２＝９０  ・・・（式１０）
となる。
この輝度値ＬＵは、輝度設定下限値ＬＵａを超えるが、補正下境界値ＬＵａ１未満であるから、関数ｆａから補正値Ｈａを求める。
すなわち、補正値Ｈａは、
Ｈａ＝−（５０／１０５）×９０＋５０≒７  ・・・（式１１）
となる。
【００８４】
従って、変換前の（Ｒ，Ｇ，Ｂ）＝（５０，１３０，８０）なる画素Ｑｂの変換後ＲＧＢ値は、
Ｒ＝５０＋７＝５７
Ｇ＝１３０＋７＝１３７
Ｂ＝８０＋７＝８７
と変換される〔図１４（ａ）参照〕。変換後の輝度値ＬＵは、（式１）から９７となる。
【００８５】
画素ＱｂのＲＧＢ値が、図１４（ｂ）に示されるように、Ｒ＝２００，Ｇ＝２２０，Ｂ＝２４０の場合、画素Ｑｂの輝度値ＬＵは、（式１）により、
ＬＵ＝（２４０＋２００）／２＝２２０  ・・・（式１２）となる。
この輝度値ＬＵは、輝度設定上限値ＬＵｂを超えるので、関数ｆｂから補正値Ｈｂを求める。
すなわち、補正値Ｈｂを、
Ｈａ＝−〔（２５５−１５０）／（２５５−１３５）〕×２２０＋〔（２５５−１５０）／（２５５−１３５）〕×１３５＝−７４．３  ・・・（式１３）
で求める。
【００８６】
従って、変換前の（Ｒ，Ｇ，Ｂ）＝（２００，２２０，２４０）なる画素Ｑｂ変換後ＲＧＢ値は、
Ｒ＝２００−７４．３≒１２６
Ｇ＝２２０−７４．３≒１４６
Ｂ＝２４０−７４．３≒１６６
と変換される〔図１４（ｂ）参照〕。変換後の輝度値ＬＵは１４６となる。
【００８７】
カラー画像輝度値変換部ＣＴ１ｂは、これらの例示のように、関数ｆａ，ｆｂを用い、カラー画像データＳＮ１における変換対象領域Ａｅ内のすべての画素について、輝度値ＬＵを求め、変換対象となる画素についてＲＧＢ値を変換後ＲＧＢ値に変換する。
この輝度変換処理Ｂによれば、輝度値ＬＵが補正下境界値ＬＵａ１未満となる画素について、変換後の輝度値ＬＵを、輝度値ＬＵに応じた輝度設定下限値ＬＵａ以上の値に変換する。
また、輝度値ＬＵが補正上境界値ＬＵｂ１を超える画素について、変換後の輝度値ＬＵを、輝度値ＬＵに応じた輝度設定上限値ＬＵｂ以下の値に変換する。
【００８８】
すなわち、輝度値ＬＵが設定維持範囲ＡＲｓに含まれない画素について、輝度値ＬＵを、輝度設定下限値ＬＵａと輝度設定上限値ＬＵｂとの間で、輝度値ＬＵに応じて滑らかに変化するように変換する。
従って、輝度変換処理Ｂは、無光沢カラー画像の濃度が細かく変化する、例えば写真画像などにおける処理において、輝度変換前後の差が目立ちにくく好適である。
【００８９】
（輝度変換処理Ｃ）
輝度変換処理Ｃでは、まず、カラー画像輝度値算出部ＣＴ１ａは、輝度変換の実行対象となる変換対象領域Ａｅに対応した画素Ｑｃの輝度値ＬＵを、（式１）により求める。
【００９０】
次に、カラー画像輝度値変換部ＣＴ１ｂは、得られた輝度値ＬＵを（式１４）によって変換する。変換後の輝度値を変換後輝度値ＬＵαとする。
ＬＵα＝（ＬＵｂ−ＬＵａ）×ＬＵ／２５５＋ＬＵａ  ・・・（式１４）
（式１）に用いたｍａｘＲＧＢ，ｍｉｎＲＧＢを用い、（式１５）及び（式１６）から、変換後輝度値ＬＵαを与える変換後のｍａｘＲＧＢα，ｍｉｎＲＧＢαをそれぞれ（式１７），（式１８）として得る。
【００９１】
すなわち、
ＬＵα＝〔（ｍａｘＲＧＢα）＋（ｍｉｎＲＧＢα）〕／２  ・・・（式１５）
（ｍａｘＲＧＢα）／（ｍｉｎＲＧＢα）＝（ｍａｘＲＧＢ）／（ｍｉｎＲＧＢ）
・・・（式１６）
であるから、
（ｍａｘＲＧＢα）＝２×ＬＵα×（ｍａｘＲＧＢ）／〔（ｍａｘＲＧＢ）＋（ｍｉｎＲＧＢ）〕  ・・・（式１７）
（ｍｉｎＲＧＢα）＝２×ＬＵα×（ｍｉｎＲＧＢ）／〔（ｍａｘＲＧＢ）＋（ｍｉｎＲＧＢ）〕  ・・・（式１８）
【００９２】
また、ＲＧＢ値の内、輝度算出に用いなかった残りの一つ値であるｍｉｄＲＧＢを、（式１９）によりｍｉｄＲＧＢαに変換する。
（ｍｉｄＲＧＢα）＝２×ＬＵα×（ｍｉｄＲＧＢ）／〔（ｍａｘＲＧＢ）＋（ｍｉｎＲＧＢ）〕  ・・・（式１９）
【００９３】
カラー画像輝度値変換部ＣＴ１ｂは、画素ＱｃのＲＧＢ値におけるｍａｘＲＧＢ，ｍｉｎＲＧＢ，及びｍｉｄＲＧＢを、それぞれｍａｘＲＧＢα，ｍｉｎＲＧＢα，ｍｉｄＲＧＢαに置き換えて、画素Ｑｃの変換後ＲＧＢ値とする。
【００９４】
この輝度変換処理Ｃの処理方法を、具体例で説明する。
ここでも、輝度設定下限値ＬＵａ及び輝度設定上限値ＬＵｂを、ＬＵａ＝５０，ＬＵｂ＝１５０とする。輝度値ＬＵは、０≦ＬＵ≦２５５の数値をとり得る。
また、画素ＱｃのＲＧＢ値を、図１１（ａ）に示される、Ｒ＝１０，Ｇ＝２０，Ｂ＝３０とする。
【００９５】
この場合、画素Ｑｃの輝度値ＬＵは、（式４）により、２０となる。
ここで、ｍａｘＲＧＢ＝３０，ｍｉｎＲＧＢ＝１０、ｍｉｄＲＧＢ＝２０である。
（式１４）によって、輝度値ＬＵを輝度値ＬＵαに変換する。
すなわち、
ＬＵα＝（１５０−５０）×２０／２５５＋５０≒５７．８  ・・・（式２０）
となる。
【００９６】
変換後の（ｍａｘＲＧＢα），（ｍｉｎＲＧＢα），（ｍｉｄＲＧＢα）を、それぞれ（式１７），（式１８），（式１９）から求める。
（ｍａｘＲＧＢα）＝２×５７．８×３０／（３０＋１０）≒８６．７
（ｍｉｎＲＧＢα）＝２×５７．８×１０／（３０＋１０）≒２８．９
（ｍｉｄＲＧＢα）＝２×５７．８×２０／（３０＋１０）≒５７．８
この結果から、カラー画像輝度値変換部ＣＴ１ｂは、ＲＧＢ値を、
Ｒ＝２８．９，Ｇ＝５７．８．Ｂ＝８６．７と変換する。
【００９７】
すなわち、輝度変換処理Ｃは、変換対象となる画素がとり得る輝度値範囲（例えば０〜２５５）を、その範囲内に狭く設定された所定の輝度値範囲である、輝度設定下限値ＬＵａ以上、かつ輝度設定上限値ＬＵｂ以下、の範囲に変換する。変換方法は限定されないが、例えば線形圧縮とする。
【００９８】
変換対象となる画素がとり得る輝度値範囲は、カラー画像データＳＮ１に含まれる画素の輝度値の最小値以上、かつ最大値以下の範囲としてもよい。
例えば、カラー画像データＳＮ１に含まれる画素の輝度値の最小値が１０で、最大値が２５０の場合、変換対象となる画素がとり得る輝度値範囲は１０〜２５０となるので、１０〜２５０の輝度値を、輝度設定下限値ＬＵａ（例えば５０）以上、かつ輝度設定上限値ＬＵｂ（例えば１５０）以下、の範囲に線形圧縮して変換する。
【００９９】
より具体的に説明する。
簡単なモデルとして、変換対象画素が五つであって、それぞれの輝度値が２０，７０，１２０，１７０，２２０の５０ピッチになっているとする。
また、予め、輝度設定下限値ＬＵａが７０、輝度設定上限値ＬＵｂが１７０と設定されていたとする。
【０１００】
カラー画像輝度値変換部ＣＴ１ｂは、輝度値のうちの最小値と輝度設定下限値ＬＵａとを比較し、最小値の方が小さい場合、その最小値を輝度設定下限値ＬＵａとなるように変換する。
ここでは、最小値の２０が輝度設定下限値ＬＵａの７０よりも小さいので、最小値を輝度設定下限値ＬＵａの７０となるように変換する。
また、輝度値のうちの最大値と輝度設定上限値ＬＵｂとを比較し、最大値の方が大きい場合、その最大値を輝度設定上限値ＬＵｂとなるように変換する。
ここでは、最大値の２２０が輝度設定上限値ＬＵｂの１７０よりも大きいので、最大値を輝度設定下限値ＬＵａの１７０となるように変換する。
そして、残りの三つの輝度値７０，１２０，１７０を含む変換前の最小値と最大値との間の２０〜２２０の輝度値範囲を、７０〜１７０の輝度値範囲に例えば線形圧縮する。
これにより、三つの輝度値７０，１２０，１７０は、線形圧縮によってそれぞれ９５，１２０，１４５に変換される。
【０１０１】
また、カラー画像輝度値変換部ＣＴ１ｂは、カラー画像データＳＮ１に含まれる画素の輝度値の最小値及び最大値のいずれか一方のみが、輝度設定下限値ＬＵａ以上、かつ輝度設定上限値ＬＵｂ以下、の範囲外にある場合、その一方を、範囲内の値となるように変換するものであってよい。
例えば、最小値が２０であって輝度設定下限値ＬＵａの７０よりも小さく、最大値が１３０であって輝度設定上限値ＬＵｂの１５０以下の場合、最小値を輝度設定下限値ＬＵａ以上となるように変換する。
この場合、最大値はそのまま維持してもよいし、輝度設定上限値ＬＵｂ以下の範囲内で変換してもよい。
また、例えば、最小値が８０であって輝度設定下限値ＬＵａの７０以上であり、最大値が１９０であって輝度設定上限値ＬＵｂの１５０より大きい場合、最大値を輝度設定上限値ＬＵｂ以下となるように変換する。
この場合、最小値はそのまま維持してもよいし、輝度設定下限値ＬＵａ以上の範囲内で変換してもよい。
このように、カラー画像輝度値変換部ＣＴ１ｂは、輝度変換処理Ｃにおいて、変換対象となる画素がとり得る輝度値範囲を、その最小値又は最大値に基づいて、輝度設定蚊現地ＬＵａ以上、かつ輝度設定上限値ＬＵｂ以下、の範囲に変換する。
【０１０２】
輝度変換処理Ｃは、無光沢カラー画像の濃度が０〜２５５（或いは例えば１０〜２５０）などに散らばっており、各画素間の相対的な濃度差が重要である場合の処理に好適である。例えば、無光沢カラー画像が、濃度が０〜２５５（或いは例えば１０〜２５０）などに散らばってる、グレースケールの画像の場合などである。
【０１０３】
色変換部ＣＴ１ｃは、各画素のＲＧＢ値をＹＭＣ値に色変換する。
具体的には、カラー画像輝度値変換部ＣＴ１ｂで輝度変換された各画素の変換後ＲＧＢ値を、ＹＭＣ値に色変換する。
すなわち、色変換部ＣＴ１ｃは、カラー画像輝度値変換部ＣＴ１ｂで輝度変換した後のＲＧＢ値に基づいて、画像データＳＮ１ｙ，ＳＮ１ｍ，ＳＮ１ｃを生成し、カラー画像データＳＮ１Ａとしてサーマルヘッド１６に送出する。
【０１０４】
次に、カラー画像輝度値変換部ＣＴ１ｂによる輝度変換を、カラーテーブルを参照して説明する。
図１５は、ＲＧＢ立方体を示し、図１６（ａ），（ｂ）は、図１５のＲＧＢ立法体の六面を、二つの三面組カラーテーブルに分けて展開した図である。また、図１６（ｃ）は、グレースケールチャートである。
ＲＧＢは、それぞれ０〜２５５の２５６階調であって、図１５では、ＲＧＢ、ＹＭＣ、ＢＫ（黒），Ｗ（白）の各ＲＧＢ成分値も併せて示してある。
【０１０５】
上述の輝度変換処理Ａ，Ｂにより、変換後ＲＧＢとして取り得る色領域は、図１６（ａ）におけるハッチングを付した領域ＡＲａと、図１６（ｂ）におけるハッチングを付した領域ＡＲｂと、を合わせた領域となる。
また、グレースケールチャート上で変換後ＲＧＢとして取り得る領域は、ハッチングを付与した中央の領域ＡＲｃとなる。
【０１０６】
（式１）から求まる画素の輝度値ＬＵを用いるならば、領域ＡＲａは、ＬＵａ≦ＬＵで規定される領域であり、領域ＡＲｂは、ＬＵ≦ＬＵｂで規定される領域である。
領域ＡＲｃは、ＬＵａ≦Ｒ＝Ｇ＝Ｂ≦ＬＵｂで規定される領域である。
換言するならば、輝度変換処理Ａ，Ｂは、展開した二つの三面組カラーテーブルの全領域及びグレースケールチャートの全領域を、それぞれ領域ＡＲａ，ＡＲｂ及び領域ＡＲｃ内に圧縮変換する処理である。
【０１０７】
次に、画像データ送出部ＣＴｂから送出されたカラー画像データＳＮ１Ａ及び光沢画像データＳＮ２を用いて、転写装置５１が実行する中間転写フィルム２１への具体的画像形成動作及び方法について、図１７〜図２３を参照して説明する。
転写装置５１は、三種のカラーインクＣＩＫ及びメタルインクＳの転写動作それぞれにおいて、巻き戻し動作及び頭出し動作を行う。
【０１０８】
以下に説明する動作手順は、中間転写フィルム２１のフレームＦ１に、中間画像Ｐを転写する手順である。
図１７及び図１８には、インクリボン１１の搬送方向（帯方向）に不動のサーマルヘッド１６と、サーマルヘッド１６の位置に対するインクリボン１１及び中間転写フィルム２１の位置と転写内容とが示されている。
また、転写動作で密着対向させているインクリボン１１のインク層１１ｂの面と中間転写フィルム２１の転写用受像層２１ｃの面とを、左右に並べて記載している。
また、図１７及び図１８において、転写に供するインク組１１ｂ１のインク層１１ｂに、説明上の便宜から、１から連番を付してある。例えば、インク層１１Ｙ１〜１１Ｓ１は、一番目のインク組１１ｂ１のインク層１１Ｙ〜１１Ｓを示す。
【０１０９】
また、フレームＦについては、中間画像Ｐを転写形成するフレーム順に１から連番を付してある。例えば、Ｆ１は、一番目に中間画像Ｐを転写形成するフレームを示す。
また、インク毎に転写する画像を（  ）付の連番で示す。例えば、画像Ｍ（１）は、マゼンタインクによる一番目の転写画像（フレームＦ１に形成するマゼンタの画像）を意味する。同様に、画像Ｃ（１）は、シアンインクで転写する一番目の転写画像（フレームＦ１に形成するシアンの画像）を意味する。
【０１１０】
まず、図１７に示されるように、イエローのインク層１１Ｙ１とフレームＦ１との位置合わせを頭出し動作で行う。
次いで、サーマルヘッド１６を圧接状態としてインクリボン１１と中間転写フィルム２１とを図１７の下方に密着移動させながら、イエローのインク層１１Ｙ１のインクを、画像データＳＮ１ｙによってフレームＦ１に転写し、画像Ｙ（１）を形成する。
この密着移動は一つのフレーム分行う。送り方向は、インクリボン１１は巻きとり方向（順送り）となり、中間転写フィルム２１は巻き戻し方向（逆送り）となる。
【０１１１】
図１８は、中間転写フィルム２１に画像Ｙ（１）を転写し終わった状態が示されている。
すなわち、中間転写フィルム２１のフレームＦ１には、イエローインクの画像Ｙ（１）が転写形成されている。また、インクリボン１１のインク層１１Ｙ１は、画像Ｙ（１）に対応した範囲（斜線で示される）のインクが、他の範囲より少ない、或いは完全に無くなった状態となっている。
【０１１２】
図１８に示されるように、イエローのインク層１１Ｙ１のインクで画像Ｙ（１）を転写したフレームＦ１には、次に、マゼンタのインク層１１Ｍ１のインクを、画像データＳＮ１ｍによって画像Ｍ（１）として重畳転写する。
【０１１３】
次に、図１９に示されるように、マゼンタのインク層１１Ｍ１とフレームＦ１との位置合わせを頭出し動作で行う。
この頭出し動作では、サーマルヘッド１６を、インクリボン１１から離隔した離隔位置とし、インクリボン１１を図１８の状態から下方に送り出し（順送り）し、中間転写フィルム２１を、図１８の状態から上方に巻き取る（順送り）する。
【０１１４】
次いで、サーマルヘッド１６を圧接状態としてインクリボン１１と中間転写フィルムとを、図１９の下方に密着移動させながら、マゼンタのインク層１１Ｍ１のインクを、フレームＦ１に画像データＳＮ１ｍによる画像Ｍ（１）で重畳転写する。
これにより、フレームＦ１には、図２０に示される、画像Ｙ（１）と画像Ｍ（１）とが重畳した画像が形成される。
【０１１５】
同様にして、シアンのインク層１１Ｃ１のインクを、フレームＦ１に、画像データＳＮ１ｃによる画像Ｃ（１）で重畳転写する。
これにより、フレームＦ１には、画像Ｙ（１）と画像Ｍ（１）と画像Ｃ（１）との重畳画像が形成される。
【０１１６】
さらに、同様にして、インク層１１Ｓ１のメタルインクＳを、フレームＦ１に、光沢画像データＳＮ２による転写画像Ｐｓの画像Ｓ（１）で重畳転写する。
【０１１７】
図２１には、四色目のメタルインクＳによる画像Ｓ（１）を転写し終えた状態が示されている。
すなわち、フレームＦ１には、画像Ｙ（１），画像Ｍ（１），画像Ｃ（１），及び画像Ｓ（１）が重畳転写されて、画像Ｐ（１）が中間画像Ｐとして形成されている。
【０１１８】
この状態での中間転写フィルム２１の模式的断面図が図２２に示される。
転写用受像層２１ｃには、昇華して転写されたイエローインクの染料ＹＩ（白ヌキ）、マゼンタインクの染料ＭＩ（片ハッチ付与）、シアンインクの染料ＣＩ（クロスハッチ付与）、メタルインクＳの顔料ＳＩ（長方形）が受像されている。
メタルインクＳの顔料ＳＩは、転写順が最後であるため、転写用受像層２１ｃにおけるフィルムベース２１ａから遠い側に受像されている。
【０１１９】
フレームＦ２以降のフレームも、フレームＦ１に画像Ｐ（１）を形成したのと同様に、画像Ｐ（２）以降を形成することができる。
そして、各フレームＦに形成した中間画像Ｐの一部が、再転写装置５２によって、カード素材３１ａに画像Ｐｃとして再転写される。
【０１２０】
図２３は、中間転写フィルム２１において、図２１に示された、フレームＦ１に形成された画像Ｐ（１）をカード素材３１ａに再転写した後の状態が示されている。
詳しくは、画像Ｐ（１）の一部が、カード素材３１ａに転写されて再転写範囲Ｐ（１）ｃ（点描部分）となっている。
【０１２１】
次に、カラー画像データ送出部ＣＴ１による輝度変換で変わる光沢画像の見え方の変化について説明する。
まず、カード３１に光沢カラー画像として形成された画像Ｐｃにおける光沢画像の見え方について、図２４及び図２５を参照して説明する。
【０１２２】
図２４は、カード素材３１ａに再転写によって画像Ｐｃが形成されてなるカード３１の部分断面図である。
未転写のカード素材３１ａの一面に、転写用受像層２１ｃが転写されている。
中間転写フィルム２１からの転写によって、転写用受像層２１ｃは、リボンベース１１ａとは反対側の面が、カード素材３１ａ側の面になっているので、カード素材３１ａ側にメタルインクＳが位置する。
すなわち、中間転写フィルム２１への転写において、カラーインクＣＩＫの転写部にメタルインクＳが重畳転写された部分は、カード素材３１ａでは、カード素材３１ａ上のメタルインクＳの上にカラーインクＣＩＫが載った状態となる。
【０１２３】
図２５は、図２４に断面図示されたカード３１に対し、光ＬＧが照射された状態を示す模式図である。
【０１２４】
メタルインクＳが転写されたメタルインク転写部Ａｃ（図２５においてＡｃで示される部分）が光沢画像となる部分であって、光ＬＧがメタルインクＳで狭指向性をもって概ね正反射し、反射光ＬＧａとして出光する。
この反射光ＬＧａは、カラーインクＣＩＫが光透過性を有することから、メタルインクＳの上に位置して反射光ＬＧａが通過するカラーインクＣＩＫの色を反映した金属光沢感のある色で視認される。
【０１２５】
メタルインクＳが転写されていないメタルインク非転写部Ａｄ（図２５においてＡｄで示される部分）は、無光沢画像の部分であって、光ＬＧがカード素材３１ａの表面に入光すると、カード素材３１ａの表面が、樹脂板としての一般的な表面粗さを有することから乱反射する（乱反射光ＬＧｂ参照）。
【０１２６】
従って、観察者の目Ｅが、反射光ＬＧａの出光方向にあるとき、メタルインク転写部Ａｃは、メタルインク非転写部Ａｄに対し際立って明るく、金属光沢を有するカラー領域として視認される。
一方、観察者の目Ｅが、反射光ＬＧａの出光方向にないときは、目Ｅには、メタルインク転写部Ａｃからの反射光ＬＧａよりもメタルインク非転写部Ａｄからの乱反射光ＬＧｂの方がはるかに多く届く。そのため、相対的に、メタルインク転写部Ａｃは暗い領域として視認される。
【０１２７】
図２６（ａ），（ｂ）及び図２７（ａ），（ｂ）は、メタルインク転写部Ａｃの見え方の違いを説明するための概念図である。
画像Ｐｃは、カード素材３１ａに形成されたメタルインクＳによる光沢画像「ＡＢ」と、光沢画像「ＡＢ」を含めたカード素材３１ａ全面にカラーインクＣＩＫで形成された全面の無光沢カラー画像と、により形成されている。
この無光沢カラー画像は、０〜２５５の２５６階調で形成されている。
【０１２８】
メタルインク転写部Ａｃが光沢画像として視認できる視認方向から見たときの、そのメタルインク転写部Ａｃの見え方が、メタルインク非転写部Ａｄの濃度によって異なる。
詳しくは、画像Ｐｃにおいて、メタルインク非転写部Ａｄが、図２６（ａ）に示されるような濃度が高く暗い部分であった場合、図２６（ｂ）に示されるような濃度が低く明るい部分であった場合より、メタルインク転写部Ａｃは、相対的にメタルインク非転写部Ａｄよりも明るい領域として視認される。
ただし、メタルインク非転写部Ａｄの乱反射光ＬＧｂの反射レベルも高く、顕著な差を有する領域として視認されにくい。
以下、このような、メタルインク転写部Ａｃが周囲に対して明るく見える状態を、便宜的に正光沢状態と称する。
【０１２９】
また、メタルインク転写部Ａｃが光沢画像として視認しにくい視認方向から見たときの見え方も、メタルインク非転写部Ａｄの濃度によって異なる。
詳しくは、画像Ｐｃにおいて、メタルインク非転写部Ａｄが、図２７（ａ）に示されるような濃度が高く暗い部分であった場合よりも、図２７（ｂ）に示されるような濃度が低く明るい部分であった場合の方が、メタルインク転写部Ａｃは、周囲に対してよりはっきりと暗い領域として明瞭に視認される。
以下、メタルインク転写部Ａｃが周囲に対して暗く見える状態を、便宜的に負光沢状態と称する
【０１３０】
この正光沢状態と負光沢状態の程度を数値で把握するために、次に説明する試験を実施した。
まず、試験方法について図２８を参照して説明する。
【０１３１】
上述のカード素材３１ａの替わりに、試験プレートＴＰに、試験画像Ｐｅを、印刷装置ＰＲの転写装置５１及び再転写装置５２を用いて形成した。
試験画像Ｐｅは、次のように形成される。
まず、試験プレートＴＰ上に、カラーインク転写パターンＣＰのＡ段とＣ段に対応する二つの位置にメタルインク転写パターンＭＰを転写する。
次に、転写した二つのメタルインク転写パターンＭＰに対し、それぞれＡ段及びＣ段が重畳するように、イエロー，マゼンタ，及びシアンのカラーインクＣＩＫをＡ〜Ｄの四段同一のカラーインク転写パターンＣＰで重畳転写させる。
【０１３２】
カラーインク転写パターンＣＰは、Ａ〜Ｄの四段それぞれ、試験画像Ｐｅとしてのカラーインク画像の濃度値Ｎが、左から段階的に増加するように１〜９のパートに分かれたチャート状とした。すなわち、９×４の３６パートに分割されている。
九段階の濃度値Ｎは、０〜２５５の２５６階調としたときの、０，３１，６３，９５，１２７，１５９，１９１，２２３，２５５とした。
すなわち、試験画像Ｐｅは、九段階の濃度値Ｎを有するＡ〜Ｄの四段のチャートであって、Ａ段及びＣ段が光沢有、Ｂ段及びＤ段が光沢無し、としてＡＢ段とＣＤ段とが同じ内容の画像としてある。
【０１３３】
試験画像Ｐｅが形成された試験プレートＴＰを、上下中央で二つ折し、Ａ及びＢ段には、メタルインク転写パターンＭＰの反射が十分弱い視認方向とし、Ｃ及びＤ段を、メタルインク転写パターンＭＰの反射が最も強い視認方向として写真撮影した。
得られた写真画像から、各パートの実際に視認される濃度としての反射濃度値Ｎｈを、０〜２５５の２５６階調で求め、カラーインク画像の濃度値Ｎと、実際に視認された、反射の有無の影響を受けた反射濃度値Ｎｈと、の関係を得た。
【０１３４】
図２９は、この関係を、横軸を濃度値Ｎとし、縦軸を反射濃度値Ｎｈとして示したグラフである。
このグラフは、四段のチャートそれぞれの九つのパートの計測値（合計３６点）をプロットし、各プロットを直線で繋いだものである。
縦軸の数値が小さいほど画像として薄く（明るく）、大きいほど濃く（暗く）視認される。図２９に示される結果から次の事項が明らかになった。
【０１３５】
（Ａ段とＢ段との比較：反射無環境でのメタルインク転写有無の比較）
反射が無い場合、濃度値Ｎが小さい（明るい）ほど、Ａ段とＢ段との反射濃度値Ｎｈの差が大きくなり、Ａ段の方が、反射濃度値Ｎｈが大きい（暗い）。
これは、反射が無い場合、カラーインクＣＩＫの転写画像が明るいほど、メタルインク転写部分が、負光沢状態でより暗く視認されることが示され、図２７（ｂ）を参照して説明した状態が確認された。
【０１３６】
また、濃度値Ｎが大きい（暗い）ほど、Ａ段とＢ段との反射濃度値Ｎｈの差が小さくなり、最大濃度値近傍では差がほとんどなくなる。
これは、反射が無い場合、カラーインクＣＩＫの転写画像が暗くなるほどメタルインク転写部分の視認がより難しくなることが示され、図２７（ａ）を参照して説明した状態が確認された。
【０１３７】
Ａ段とＢ段との間の反射濃度値Ｎｈの差分値は、濃度値Ｎの最大側から最小側に向かうに従って大きくなっている。
特に、濃度値Ｎが１９１よりも小さい範囲で、比較的大きな差分値が得られている。
【０１３８】
（Ｃ段とＤ段との比較：反射有環境でのメタルインク転写有無の比較）
反射が有る場合、濃度値Ｎが小さい（明るい）ほど、Ｃ段とＤ段との反射濃度値Ｎｈの差が小さくなっている。
これは、反射が有る場合、カラーインクＣＩＫの転写画像が明るいほど、メタルインク転写部分の視認がより難しくなることが示され、図２６（ｂ）を参照して説明した状態が確認された。
【０１３９】
また、濃度値Ｎが大きい（暗い）ほど、Ｃ段とＤ段との反射濃度値Ｎｈの差が小さくなる。
これは、反射が有る場合、カラーインクＣＩＫの転写画像が暗くても乱反射ＬＧｂのレベルが高くなるため、メタルインク転写部分の視認が必ずしも容易ではないことが示され、図２６（ａ）を参照して説明した状態が確認された。
【０１４０】
さらに、Ｃ段とＤ段との間の反射濃度値Ｎｈの差分値は、濃度値Ｎの最小側及び最大側よりも中央部分で大きく、濃度値Ｎが９５で最大の差分値Ｎｈａとなる。
また、濃度値Ｎが９５から＋側及び−側に離れるほど、差分値は小さくなっている。比較的大きな差分値は、反射濃度値Ｎｈが６３〜１５９の範囲で得られる。
【０１４１】
上述の反射濃度値Ｎｈの差分値が大きいほど、同じ反射状態でのメタルインク転写部分の、メタルインク非転写部分に対する見え方が顕著となり、視認性が向上する。
すなわち、メタルインク転写部Ａｃは、正光沢状態又は負光沢状態で顕著に視認され得る。
【０１４２】
従って、反射無しでは、濃度値Ｎが小さいほど、負光沢状態で良好に視認され、反射有では、濃度値Ｎが中央の所定領域においてメタルインク転写部Ａｃは正光沢状態で良好に視認される。
これに基づき、カラーインクＣＩＫにより形成された無光沢カラー画像の濃度値Ｎを、中央の所定範囲ＡＲｅ（上述の例では、例えば濃度値Ｎ＝６３〜１５９の範囲）内に収めることで、光の反射状態によらず、メタルインクＳを含めて形成された光沢画像を、正光沢状態又は負光沢状態で良好に視認できる。
【０１４３】
光沢画像の見え方は、視認方向に応じて正光沢状態と負光沢状態との間で状態遷移して変化する。
また、メタルインク非転写部Ａｄを含めた画像Ｐｃの見え方も、視認方向に応じて変化する。詳しくは、メタルインク非転写部Ａｄにおける乱反射光ＬＧｂの反射具合が変わって反射濃度値Ｎｈが一定にならずに変化する。
従って、カード３１に形成された画像Ｐｃは、視認方向によらず形状の可視状態を維持し、かつ視認方向が変わることで、視認方向に応じた、光沢の正光沢状態と負光沢状態との間の状態遷移と、反射濃度値Ｎｈの濃度変化と、が生じ、見え方が変化する。
【０１４４】
図２９で説明した濃度値Ｎを、次の（式１０）によって輝度値ＬＵに換算すると、輝度値ＬＵは、
ＬＵ＝２５５−Ｎ  ・・・（式１０）
で示される。
濃度値Ｎの所定範囲ＡＲｅを６３〜１５９とした場合、（式１０）より、濃度値Ｎの所定範囲ＡＲｅに対応する輝度値ＬＵの輝度値所定範囲ＡＲｆは、９６〜１９２となる。
【０１４５】
すなわち、輝度設定下限値ＬＵａ又は輝度設定上限値ＬＵｂは、第１のインク（カラーインクＣＩＫ）で印刷した第１の印刷画像（試験画像ＰｅのＢ段，Ｄ段）を第１の方向から見たときの第１の反射濃度値及び第２のインク（メタルインクＳ）で印刷した第２の印刷画像に第１の印刷画像が重畳されてなる重畳画像（試験画像ＰｅのＡ段，Ｃ段）を第１の方向から見たときの第２の反射濃度値、又は、第１の印刷画像（Ｂ段，Ｄ段）を第１の方向よりも強い反射光で視認される第２の方向から見たときの第３の反射濃度値及び重畳画像（Ａ段，Ｃ段）を第２の方向から見たときの第４の反射濃度値に基づいて設定される。
【０１４６】
カラー画像データ送出部ＣＴ１は、このように、輝度値所定範囲ＡＲｆの最小値を輝度設定下限値ＬＵａとし、最大値を輝度設定上限値ＬＵｂとして、上述の輝度変換処理を実行する。すなわち、輝度値所定範囲ＡＲｆを設定維持範囲ＡＲｓとする。
これにより、カラーインクＣＩＫで転写する無光沢カラー画像は、カード素材３１ａに、濃度値Ｎが所定範囲ＡＲｅに含まれる画像として形成される。
そのため、カード３１におけるメタルインクＳによる光沢画像は、視認方向によらず視認可能に維持され、かつ、画像Ｐｃは視認方向に応じて光沢の状態及び濃度が変化する。
例えば、上述の輝度設定下限値ＬＵａ＝５０、輝度設定上限値ＬＵｂ＝１５０は、この方法で導いた数値の一例である。
【０１４７】
上述のように、印刷装置ＰＲによれば、光沢付きカラー画像としての画像Ｐｃは、視認方向によらず良好に視認できる。
また、印刷装置ＰＲによれば、画像Ｐｃを、カラー画像データ送出部ＣＴ１の処理で生成された画像を基に、通常の転写動作で形成できるので、カード３１を製造するためのハードウエアの変更や追加はなく、コストアップは実質的に発生しない。これによりカード３１は低コストで製造できる。
【０１４８】
光沢画像に相当するメタルインク転写部Ａｃは、濃度値Ｎが所定範囲ＡＲｅに必ず含まれる画像領域の一部として形成される。
これにより、光沢画像は、視認方向によらず可視状態で維持される。
【０１４９】
所定範囲ＡＲｅは、カード３１に形成される画像Ｐｃの全体としなくてもよい。
図３０に示されるように、画像Ｐｃにおけるメタルインク非転写部Ａｄの中の、メタルインク転写部Ａｃを含む任意領域を変換対象領域Ａｅとし、その変換対象領域Ａｅの濃度値Ｎを所定範囲ＡＲｅに含まれるように輝度変換処理してもよい。
この場合、メタルインク非転写部Ａｄにおける変換対象領域Ａｅ外の領域には、所定範囲ＡＲｅよりも濃度値Ｎが小さい（画像データとして輝度値ＬＵが大きい）領域Ａｄ１や濃度値Ｎが大きい（画像データとして輝度値ＬＵが小さい）領域Ａｄ２が残っていてもよい。
【０１５０】
（実施例２）
実施例１は、印刷装置ＰＲとして、制御部ＣＴに輝度変換処理を行う画像データ送出部ＣＴｂを有する例を説明したが、これに限定されるものではない。
輝度変換処理を行う画像データ送出部ＣＴｂを外部のコンピュータ６１に備え、そのコンピュータ６１と印刷装置とで印刷システムを構成してもよい。
実施例２として、その印刷システムの一例である印刷システムＳＹを説明する。印刷システムＳＹの概略構成は図３２に示される。
【０１５１】
印刷システムＳＹは、印刷装置ＰＲＡとコンピュータ６１とを含んで構成される。
印刷装置ＰＲＡは、実施例１の印刷装置ＰＲに対し、制御部ＣＴの替わりに、画像データ送出部ＣＴｂを有していない制御部ＣＴＡを備える点のみが異なる。
すなわち、印刷装置ＰＲＡは、中央処理装置ＣＴａを有する制御部ＣＴＡ，記憶部ＭＲ，転写装置５１，及び再転写装置５２を備えている。
【０１５２】
一方、コンピュータ６１は、中央処理装置６３及び記憶部ＭＲと、印刷装置ＰＲＡを駆動するためのプリンタドライバ６２と、を有する。
プリンタドライバ６２は、印刷装置ＰＲにおける画像データ送出部ＣＴｂに相当するブロックを有する。
すなわち、プリンタドライバ６２は、カラー画像データ送出部ＣＴ１と、光沢画像データ送出部ＣＴ２とを有する。
カラー画像データ送出部ＣＴ１は、カラー画像輝度値算出部ＣＴ１ａ，カラー画像輝度値変換部ＣＴ１ｂ，及び色変換部ＣＴ１ｃを有する。
【０１５３】
カラー画像データＳＮ１及び光沢画像データＳＮ２は、外部から供給され記憶部６４に記憶される。
カラー画像データ送出部ＣＴ１は、記憶部６４に記憶されたカラー画像データＳＮ１に基づいて実施例１で説明した輝度変換処理Ａ又は輝度変換処理Ｂを行い、カラー画像データＳＮ１Ａを生成して印刷装置ＰＲＡに送出する。
光沢画像データ送出部ＣＴ２は、記憶部６４に記憶された光沢画像データＳＮ２を印刷装置ＰＲＡに送出する。
【０１５４】
カラー画像データＳＮ１Ａ及び光沢画像データＳＮ２は、印刷装置ＰＲＡに、有線又は無線で送出される。
印刷装置ＰＲＡとコンピュータ６１とは、例えばインターネット回線を介して接続される。
【０１５５】
コンピュータ６１におけるカラー画像データＳＮ１Ａの生成と、印刷装置ＰＲＡにおける転写動作及び再転写動作の実行とは、連続的に実行されるものでなくてよい。
輝度変換処理Ａ，Ｂの処理方法は実施例１と同じであり、印刷装置ＰＲＡにおける転写及び再転写動作も実施例１の印刷装置ＰＲと同じであり、実施例１と同様の効果が得られる。
【０１５６】
上述のように、実施例１，２の印刷装置ＰＲ，ＰＲＡは、カラーインクＣＩＫを第１のインクとし、光沢性を有するメタルインクＳを第２のインクとして、カラーインクＣＩＫとメタルインクＳとの転写による印刷を重畳させて、光沢付きの画像Ｐｃを転写体としてのカード３１などに形成することができる。
【０１５７】
実施例１では制御部ＣＴが、また、実施例２ではコンピュータ６１のプリンタドライバ６２が、次の処理を実行する。
すなわち、カラーインクＣＩＫでの印刷対象となる無光沢カラー画像の画像データＳＮ１の変換対象領域Ａｅに含まれる画素の輝度値ＬＵを算出する。
算出した輝度値ＬＵと、予め設定された輝度設定下限値ＬＵａ及び輝度設定上限値ＬＵｂとを比較する。
比較の結果、輝度値ＬＵが、輝度設定下限値ＬＵａ以上、かつ輝度設定上限値ＬＵｂ以下となる設定維持範囲ＡＲｓに含まれない場合に、輝度変換処理Ａ又は輝度変換処理Ｂによって、輝度値ＬＵが設定維持範囲ＡＲｓに含まれるように変換する。
そして、変換後の輝度値ＬＵに基づいて、あらたに画像データＳＮ１Ａを生成する。
【０１５８】
印刷装置ＰＲ，ＰＲＡは、画像データＳＮ２に対応した光沢画像をメタルインクＳによって転写体に転写印刷した後、その光沢画像に対し、画像データＳＮ１Ａに対応したモノクロ画像を含む無光沢のカラー画像を、カラーインクＣＩＫによって重畳転写してその転写体に光沢付きカラー画像を印刷形成する。
或いは、印刷装置ＰＲ，ＰＲＡは、画像データＳＮ１Ａに対応したモノクロ画像を含む無光沢のカラー画像を、カラーインクＣＩＫによって転写体に転写印刷する。その後、転写形成した無光沢のカラー画像に対し、画像データＳＮ２に対応した光沢画像を、メタルインクＳによって重畳転写し、その重畳転写で形成された画像を、さらに別の転写体に再転写して、その別の転写体に光沢付きカラー画像を形成する。
【０１５９】
本発明の実施例は、上述した構成及び手順に限定されるものではなく、本発明の要旨を逸脱しない範囲において変形例としてもよい。
【０１６０】
関数ｆａ及び関数ｆｂは、上述の一次関数に限定されるものではなく、二次以上の高次関数であってもよい。
【０１６１】
画像Ｐｃにおけるメタルインク転写部Ａｃの反射特性は、メタルインクの種類によって異なる。使用するメタルインクＳの反射特性を予め測定し、その反射特性に応じて最適な輝度設定下限値ＵＬａ，ＵＬｂや補正下境界値ＬＵａ１及び補正上境界値ＬＵｂ１を設定するとよい。
【０１６２】
インクリボンは、三色（イエロー，マゼンタ，及びシアン）のカラーインクＣＩＫとメタルインクＳとの合計四色のインク層を有するものとして説明したが、四色（イエロー，マゼンタ，シアン，及びブラック）のカラーインクＣＩＫとメタルインクＳとの合計五色のインク層を有するものであってもよい。この五色のインク層を有するインクリボンを用いた場合の動作は、ブラックインクの重畳転写動作が１回増えるのみであって、他については四色のインクリボン１１の場合と同様に実行できる。
【０１６３】
光沢画像としてのメタルインク転写部Ａｃ及びそれを含む変換対象領域Ａｅは、一つの無光沢カラー画像の中において複数個所設定してよい。
また、変換対象領域Ａｅを複数個所設定した場合、各変換対象領域の輝度変換処理を異なる処理としてもよい。
具体的には、輝度変換処理Ａと輝度変換処理Ｂとを使い分ける、異なる関数を用いる、などである。
各変換対象領域Ａｅにどの輝度変換処理を用いるかの情報は、予め設定して転写画像情報Ｊ３に含めておくとよい。
【０１６４】
印刷装置ＰＲ，ＰＲＡは、再転写方式の印刷装置であるが、再転写部ＳＴ１を利用せず、インクリボン１１からの転写による形成画像を有する製品（カードなど）を製造する転写装置であってもよい。
詳しくは、例えば、中間転写フィルム２１の転写済みのフレームＦを所定の形状に切り出して、フィルム状カードとする転写装置であってもよい。また、中間転写フィルム２１の替わりにカードなどの転写体に直接転写する転写装置であってもよい。
【０１６５】
これらの再転写をせずに製品を得る転写装置において、インクリボン１１から各インクを重畳転写する転写体が光透過性の場合、印刷装置ＰＲ，ＰＲＡにおける転写動作と同様に、カラーインクＣＩＫを転写した後にメタルインクＳを転写させる。
これにより、転写体を、転写した側の面とは反対側から見た場合に、光沢画像を視認できる。
【０１６６】
一方、インクリボン１１から各インクを重畳転写する転写体が光不透過性の場合、最初にメタルインクＳで光沢画像を転写し、その後、各カラーインクＣＩＫの画像を転写する。
これにより、形成した画像は、転写体に最も近い側にメタルインクＳがあり、そのメタルインクＳ上にカラーインクＣＩＫが載った構造となる。
そのため、転写した側から見た場合に光沢画像を視認することができる。
【０１６７】
カード３１に形成される画像Ｐｃは、モノクロ画像となるものも含まれる。すなわち、印刷装置ＰＲ，ＰＲＡで扱うカラー画像データＳＮ１のＲＧＢ値が互いに等しい場合も、もちろん含まれる。
【０１６８】
実施例１及び実施例２は、カラー画像データ送出部ＣＴ１が、カラー画像輝度値算出部ＣＴ１ａ，カラー画像輝度値変換部ＣＴ１ｂ，及び色変換部ＣＴ１ｃを有するものとして説明した。詳しくは、カラー画像輝度値算出部ＣＴ１ａが各画素の輝度値を算出し、算出した輝度値をカラー画像輝度値変換部ＣＴ１ｂで変換後ＲＧＢ値に輝度変換し、その変換後ＲＧＢ値を色変換部ＣＴ１ｃでＹＭＣ値に色変換して出力する。
【０１６９】
カラー画像データ送出部ＣＴ１は、これに限るものではなく、変形例としてのカラー画像データ送出部ＣＴ１Ａであってもよい。
具体的には、変形例のカラー画像データ送出部ＣＴ１Ａは、カラー画像輝度値変換部ＣＴ１ｂの替わりにカラー画像濃度値変換部ＣＴ１Ａｂを有し、色変換部ＣＴ１ｃの替わりに濃度値算出部ＣＴ１Ａｃを有する。
【０１７０】
この構成により、カラー画像データ送出部ＣＴ１Ａは、カラー画像輝度値算出部ＣＴ１ａが各画素の輝度値を算出したら、算出した輝度値に基づいて濃度値算出部ＣＴ１Ａｃが（２５５−輝度値）の補数演算で濃度値を求める。
カラー画像濃度値変換部ＣＴ１Ａｂは、得られた濃度値を輝度変換処理Ａ〜Ｃに対応する濃度変換処理ＡＮ〜ＣＮのいずれかによって変換後濃度値に濃度変換する。カラー画像データ送出部ＣＴ１Ａは、この変換後濃度値をＹＭＣ値として外部に出力する。
【０１７１】
濃度変換処理ＡＮは、画素の濃度値が予め設定された濃度設定下限値未満となる画素について、変換後の濃度値を濃度値設定下限値にする。
また、濃度値が予め設定された濃度設置上限値を超える画素について、変換後の濃度値を濃度値設定上限値にする。
【０１７２】
濃度変換処理ＢＮは、濃度値が予め設定された補正下境界値未満となる画素について、変換後の濃度値を、その濃度値に応じた濃度設定下限値以上の値に変換する。
また、濃度値が補正上境界値を超える画素について、変換後の濃度値を、その濃度値に応じた濃度設定上限値以下の値に変換する。
【０１７３】
濃度変換処理Ｃは、対象となる画素がとり得る濃度値範囲を、その範囲内に狭く設定された所定の濃度値範囲である、濃度設定下限値以上、かつ濃度値設定上限値以下、の範囲に線形圧縮して変換する。
【符号の説明】
【０１７４】
１１  インクリボン
１１Ｙ  （イエローインクの）インク層
１１Ｍ  （マゼンタインクの）インク層
１１Ｃ  （シアンインクの）インク層
１１Ｓ  （メタルインクの）インク層
１１ａ  リボンベース、    １１ｂ  インク層、    １１ｂ１  インク組
１１ｄ  頭出しマーク
１２  供給リール、    １３  巻き取りリール、    １４  ガイドシャフト
１５  インクリボンセンサ
１６  サーマルヘッド、    １６ａ  発熱抵抗体、    １６ｂ  ヘッドドライバ
２１  中間転写フィルム
２１ａ  フィルムベース、    ２１ｂ  剥離層、  ２１ｃ  転写用受像層
２１ｄ  フレームマーク
２２  供給リール、    ２３  巻き取りリール、    ２４  ガイドシャフト
２５  フレームマークセンサ、    ２６  プラテンローラ
３１  カード、    ３１ａ  カード素材
３２  スタッカ、    ３３  持ち上げローラ、    ３４  送り込みローラ
３５  搬送ローラ、    ３６  ストッカ、    ３７  通信部
３８  データ機器、    ４１  ヒートローラ、    ４２  対向ローラ
５１  転写装置、    ５２  再転写装置、    ＳＹ  印刷システム、
６１  コンピュータ、    ６２  プリンタドライバ
Ａｃ  メタルインク転写部、      Ａｄ  メタルインク非転写部
Ａｄ１，Ａｄ２，ＡＲａ，ＡＲｂ，ＡＲｃ  領域、    Ａｅ  変換対象領域
ＡＲｆ  輝度値所定範囲、    ＡＲｓ  設定維持範囲
ＣＴ，ＣＴＡ  制御部
ＣＴａ，６３  中央処理装置（ＣＰＵ）、    ＣＴｂ  画像データ送出部
ＣＴ１  カラー画像データ送出部、    ＣＴ１ａ  カラー画像輝度値算出部
ＣＴ１ｂ  カラー画像輝度値変換部、    ＣＴ１ｃ  色変換部
ＣＴ２  光沢画像データ送出部
Ｄ１６  ヘッド離接駆動部、    Ｄ４１  ヒートローラ駆動部
Ｆ,Ｆ１  （転写）フレーム、    ｆａ,ｆｂ  関数
ＧＨ，ＧＨａ，ＧＨｂ，ＧＨｃ  補正ゲイン値
Ｈ，Ｈａ，Ｈｂ  補正値
Ｊ１  リボンマーク検出情報、    Ｊ２  フレームマーク検出情報
Ｊ３  転写画像情報、    Ｊ３ａ  輝度変換処理選択情報、    Ｌａ  長さ
ＬＧ  光、    ＬＧａ  反射光、    ＬＧｂ  乱反射光
ＬＮａ  ライン数、    Ｌａｐ，Ｌｂ  ピッチ、    ＬＮ１，ＬＮ２  線分
ＬＵ  輝度値
ＬＵａ  輝度設定下限値、    ＬＵａ１  補正下境界値
ＬＵｂ  輝度設定上限値、    ＬＵｂ１  補正上境界値
ＬＵα  変換後輝度値
Ｍ１２，Ｍ１３，Ｍ２２，Ｍ２３，Ｍ２６，Ｍ４１  モータ
ＭＰ  メタルインク転写パターン、    ＣＰ  カラーインク転写パターン
ＭＲ，６４  記憶部
Ｎ  濃度値、    Ｎｈ  反射濃度値
Ｐ  中間画像、    Ｐｃ  画像（形成画像）、    Ｐｅ  試験画像
Ｐ（１）ｃ  再転写範囲
Ｐ（１），Ｙ（１），Ｍ（１），Ｃ（１），Ｓ（１）  画像
Ｐｓ  （メタルインクの）転写画像、    Ｑａ，Ｑｂ  画素
ＰＲ，ＰＲＡ  印刷装置、    ＰＲａ  筐体
ＳＮ１，ＳＮ１Ａ  カラー画像データ、    ＳＮ２  光沢画像データ
ＳＮ１ｙ，ＳＮ１ｍ，ＳＮ１ｃ  画像データ
ＳＴ１  再転写部、    ＳＴ２  供給部、    ＳＴ２ａ  姿勢転換部
ＳＴ３  搬出部
ＴＰ  試験プレート
ＹＩ  （イエローインクの）染料、    ＭＩ  （マゼンタインクの）染料
ＣＩ  （シアンインクの）染料、    ＳＩ  （メタルインクの）顔料
ＣＩＫ  カラーインク、    Ｓ  メタルインク
【図１】
2017024285.tif 000003
【図２】
2017024285.tif 000004
【図３】
2017024285.tif 000005
【図４】
2017024285.tif 000006
【図５】
2017024285.tif 000007
【図６】
2017024285.tif 000008
【図７】
2017024285.tif 000009
【図８】
2017024285.tif 000010
【図９】
2017024285.tif 000011
【図１０】
2017024285.tif 000012
【図１１】
2017024285.tif 000013
【図１２】
2017024285.tif 000014
【図１３】
2017024285.tif 000015
【図１４】
2017024285.tif 000016
【図１５】
2017024285.tif 000017
【図１６】
2017024285.tif 000018
【図１７】
2017024285.tif 000019
【図１８】
2017024285.tif 000020
【図１９】
2017024285.tif 000021
【図２０】
2017024285.tif 000022
【図２１】
2017024285.tif 000023
【図２２】
2017024285.tif 000024
【図２３】
2017024285.tif 000025
【図２４】
2017024285.tif 000026
【図２５】
2017024285.tif 000027
【図２６】
2017024285.tif 000028
【図２７】
2017024285.tif 000029
【図２９】
2017024285.tif 000030
【図３０】
2017024285.tif 000031
【図３１】
2017024285.tif 000032
【図３２】
2017024285.tif 000033
【図２８】
2017024285.tif 000034